(57)【要約】【課題】簡単に乾電池をセットしたり、取り外したりできるようにし、併せて使用期間の長短を自在に選択できて使い勝手が良く、更にはコンパクトで見栄えも良くなる電池ボックスを提供する。【解決手段】乾電池支持体１５の上面１５Ａと下面１５Ｂのそれぞれに、収納さけるべき乾電池１８の長辺に沿う方向に配置される複数個の乾電池収納部１７が設けられるとともに、この複数個の乾電池収納部１７には夫々の乾電池１８に接する接点ストリップ２５が設けられたものである。【選択図】      図１
2008181722.tif 000002
【特許請求の範囲】
【請求項１】
乾電池支持体の両面に設けられた複数の乾電池収納部と、この複数の乾電池収納部に装着
される乾電池を互いに接続する電気的相互接続手段とを備えたことを特徴とする電池ボッ
クス。
【請求項２】
乾電池収納部は、乾電池を位置決めし且つ固定するための隣接した区画から成り、乾電池
支持体の上面に二つ、また、下面に四つ、若しくは上面に一つ、下面に二つが設けられて
成る請求項１記載の電池ボックス。
【請求項３】
請求項１に記載の電池ボックスを収納するために本体の下部内に設けられた電池ボックス
収納部と、この電池ボックス収納部に収納された上記乾電池に接触するように当該電池ボ
ックス収納部に配置された接点と、電池ボックスを電池ボックス収納部に固定保持する係
脱自在な固定機構とを備え、電源ボックスの電源を電子機器本体側に給電する電気的な接
続手段とを備えたことを特徴とする電子機器。
【発明の詳細な説明】
【技術分野】
【０００１】
本発明は、電池ボックス及びこれを用いた電子機器、更に詳しくは、複数の乾電池若し
くは複数の電池パックを選択的に装着する電池ボックスと、この電池ボックスの収納部を
有して、乾電池や電池パックを電源としてモーターの出力回転軸を回転させることにより
、薬剤含浸体から薬剤を揮散させるようにして、虫除け効果、或いは蚊とり効果などを発
揮させる薬剤揮散容器などの電子機器に関する。
【背景技術】
【０００２】
従来より、例えば容器内に収容してある発熱体によって薬剤を揮散させたり、カートリ
ッジタイプの薬剤容器をモーターで回転させることで、このカートリッジ内に収納した薬
剤を蒸散させたりして虫除け効果、或いは蚊とり効果などを発揮させる薬剤揮散容器にお
いては、その主電源として、ほぼ円柱形状からなる一般的な乾電池、主に単３型、１．５
Ｖの他、この円柱形状の乾電池を複数本集合させた形態としてのほぼ同形形状からなるい
わゆるパック型の電源電池など（これらを総称して以下単に乾電池という）種々の形態の
ものが採用されている。
【特許文献１】特開平８−２２８６５５号公報
【特許文献２】特許公開２００４−５９５４８号公報
【特許文献３】特許公開２００５−３０４４２５号公報
【特許文献４】特許公開２００６−１３６３１３号公報
【特許文献５】特許公開２００６−１５８４６８号公報
【特許文献６】特許公開２００６−２３０２４２号公報
【特許文献７】特許公開２００６−２８８３３０号公報
【発明の開示】
【発明が解決しようとする課題】
【０００３】
このような従来の製品では、発熱体を熱したりファンや薬剤容器などを回転させる動力
源となる電池は、容器本体内に一体に組み込まれた電池ボックスに収容されている。しか
も、一般的には、例えば単３型、１．５Ｖ、２本のみ、また、パック型電池は１個のみを
収容するように構成されている。一方、カートリッジタイプの薬剤容器としては段階的に
使用期間を設定（３０日間、６０日間、９０日間など）した商品が提供されている。
【０００４】
しかし、この従来の製品は、電池の収納量が一定であるために、使用期間が一定で、概
ね３０日間しか使えず、６０日間や９０日間使用した場合は、途中で乾電池を交換する必
要があった。すなわち、この従来品は、使用期間の点で使い勝手が悪く、改善が求められ
ている。
【０００５】
本発明者等は、この従来の製品の問題点を解決すべく、種々検討を重ねた。その結果、
電池の収納の仕方に工夫を重ね、これを二段重ねとすることによって、従来の製品の問題
点を上手くクリアーできるようになったので、ここに提案する。
【０００６】
したがって、本発明の課題は、簡単に乾電池をセットしたり、取り外したりできるよう
にし、併せて使用期間の長短を自在に選択できて使い勝手が良く、更にはコンパクトで見
栄えも良くなる電池ボックスとこれを使用した電子機器を提供することである。
【課題を解決するための手段】
【０００７】
以上の技術的な課題を解決するために、本発明の請求項１に係る電池ボックスは、乾電
池支持体の両面に設けられた複数の乾電池収納部と、この複数の乾電池収納部に装着され
る乾電池を互いに接続する電気的相互接続手段とを備えたものである。
【０００８】
上記のような構成によれば、電池ボックスは、予め、乾電池支持体の両面に設けられた
乾電池収納部に乾電池を、必要個数を装填する。使用期間が、例えば３０日間とすると、
片面の複数個の装着部のみに乾電池を収納する。また、これが６０日、９０日間となると
その期間の長さに応じて、乾電池の本数を増量して装填する。装填された乾電池の本数に
応じて使用期間を長短選択できる。
【発明の効果】
【０００９】
したがって、この発明は以下の効果を奏する。
以上説明したように、本発明の請求項１に係る電池ボックスは、乾電池を乾電池支持体
の両面に収納できるようにして、つまりは電池ボックスの形状を、例えば上側と下側の両
面に別々に使えるように工夫して構成したものであるから、例えば単３型乾電池２本を上
側に、下側に４本（電池パックでは、上側１個、下側２個）と言うように、夫々独立して
セットできる。したがって、具体的な使用の態様としては、上側２本のみをセットした場
合は３０日用、下側４本のみをセットした場合は６０日用、更に上、下合計６本をセット
した場合は９０日用などのように種々のパターンで使い分けでき、選択性を格段に改善で
きる。併せて、上下二段に収納部を分けて構成してあるために、平面的な嵩高さも従来品
に比べて何ら遜色のないコンパクトな電源ボックスである。
【００１０】
以上の構成において、この発明では請求項２に記載のように、乾電池収納部は、乾電
池を位置決めし且つ固定するための隣接した区画から成り、乾電池支持体の上面に二つ、
また、下面に四つ、若しくは上面に一つ、下面に二つが設けられているのが望ましい。
平面的な嵩高さが上手く改善され、電子機器の大きさを従来のものと何ら変わることな
くその投影下内、つまり占有面積内に収めることができるからである。
【００１１】
また、この発明の請求項３に記載された電子機器は、請求項１に記載の電池ボックスを
収納するために本体の下部内に設けられた電池ボックス収納部と、この電池ボックス収納
部に収納された上記乾電池に接触するように当該電池ボックス収納部に配置された接点と
、電池ボックスを電池ボックス収納部に固定保持する係脱自在な固定機構とを備え、電源
ボックスの電源を電子機器本体側に給電する電気的な接続手段とを備えたものである。
【００１２】
請求項１並びに請求項２に記載の格別の効果を奏する電池ボックスは、従来の本体内に
電池ボックスを固定的に装備したり、カートリッジ形式の電池ボックスを本体に着脱した
りする電子機器とは全く違って、電子機器本体の下部内に挿抜自在に装着する。
したがって、電池ボックスをスライドなどさせて、簡単に取り出したり、挿入したりし
て、乾電池をセットでき、乾電池を、手数少なく、容易にセットできる。併せて、電池ボ
ックスも含めて電子機器の全体が嵩低く、まとまりよくコンパクトで、見栄えも良い。し
かも、乾電池の個数の増減によって使用期間の長短も自在に設定でき、一層使い勝手が改
善される。
【発明を実施するための最良の形態】
【００１３】
簡単に乾電池をセットしたり、取り外したりできるようにし、併せて使用期間の長短を
自在に選択できて使い勝手が良く、更にはコンパクトで見栄えも良くなる電池ボックスと
これを使用した電子機器を提供するという本発明の目的を、電子機器の一例として薬剤揮
散容器に適用して実現した例に基づき、添付の図面を参照して以下に詳細に説明する。
【実施例１】
【００１４】
本発明に係る薬剤揮散容器の第１の実施例について、図１〜９を参照しながら以下具体
的に説明する。
【００１５】
先ず、薬剤揮散容器の概要を、図４〜６の記載に基づいて以下説明する。
薬剤揮散容器１は、防虫成分を含浸させた基体（図外）を内部に収容していて、これを
モータで回転させることで、防虫成分を外部に揮散させる。
薬剤揮散容器１の本体２の上部にはフード３が開閉自在に設けられていて、このフード
３には、その全周にわたって多数の揮散用のスリット４が設けられている。このフード３
を開閉し、防虫成分を含浸させた基体の取り付けおよび取り外しを行う。図６に示すよう
に、フード３はその下部において、本体２に対してヒンジ５を介して結合され、反対側に
設けられたフック６によって本体２に係止される。
【００１６】
薬剤揮散容器１の内部には、図６に示すように、電動モーター７が備わっている。この
電動モーター７の出力回転軸８が本体１の上面中央に突出するように構成されている。こ
の出力回転軸８に防虫成分を含浸させた上記基体が連結される。本体２前面のスイッチ９
をオンすることによって、上記基体が回転し、防虫成分が揮散用の前記スリット４を通し
て大気中に揮散される。スイッチオンの状態では、ランプ１０が点灯する。
【００１７】
電池ボックス１１と本体２の電池ボックス収納部１２の構造を、図１〜３、図７、８の
記載に基づいて以下に説明する。
電池ボックス１１は、図８に示すように、本体２内部の所定の位置に形成された電池ボ
ックス収納部１２に収納される。そのために、本体２の背面側側壁２Ａに挿入口１３が設
けられていて、ここからこの電池ボックス１１を本体２の前記電池ボックス収納部１２に
挿入したり、これから引き出したりすることが可能に構成されている。
【００１８】
電池ボックス１１は、図１〜３、図７、８に示すように、互いに嵌め込んで一体化して
なるカバー１４と電池支持体１５とでできている。電池支持体１５は合成樹脂製で、平ら
な中間隔壁１６で互いから分離されて並置された区画、つまりは乾電池収納部１７を有す
る。この乾電池収納部１７は、図示するように、電池支持体１５の上面１５Ａと下面１５
Ｂとの両側に、収納される乾電池の長辺に沿う方向も、つまりは、この電池ボックス１１
を電池ボックス収納部１２に収納する方向に沿って設けられている。上面１５Ａはこの電
池支持体１５の左右中央部分に２つ、下面１５Ｂは４つが設けられている。この各乾電池
収納部１７には、円形断面の細長い単３型で１．５ボルトの乾電池１８が挿入できるよう
に構成されている（図３、７、８参照）。
【００１９】
図８に示すように、挿入口１３の左右開口縁１３Ａには、電池ボックス収納部１２に収
納される電池ボックス１１が当該電池ボックス収納部１２の内部において所定の位置に支
持され、装着された電池ボックス１１が容易に離脱すことができないように固定保持する
固定機構１９が設けられる。
具体的には、先ず、図１〜３、５、８に示すように、カバー１４の左右両縁からこの電
池ボックス１１を電池ボックス収納部１２に収納する側に向かって一体に突設されたグリ
ップ２０と、図８（２）に示すように、このグリップ２０をその弾性反発力によって係合
する前記挿入口１３の左右両側の辺縁から開口内に向かって突設された係合片２１とで構
成される。グリップ２０は、図１（１）、図２（１）に示すように、上面視、アルファベ
ットのほぼＵ字状を呈し且つ端部に摘み２２を設けて構成されている。また、このグリッ
プ２０における電池ボックス１１を電池ボックス収納部１２に収納する側とは反対方向に
伸びる片２０Ａの遊端には、この電池ボックス１１を電池ボックス収納部１２に挿抜する
のに便利な前記摘み２２が設けられている。更に、前記片２０Ａにおける摘み２２の根元
には左右横方向に向かって一体に係止爪２３が突設されていて、これが前記係合片２１に
係合して、電池ボックス１１の電池ボックス収納部１２からの不用意な離脱を防止してい
る。言うまでもなく、このグリップ２０は弾性変形可能であるから、摘み２２を互いにカ
バー１４側に近づけるように押し込むことによって前記片２０Ａが撓み、係合片２１から
係止爪２３を離脱させ、電池ボックス１１を電池ボックス収納部１２から簡単に引き出せ
る。
【００２０】
また、前記電池ボックス１１が本体２の電池ボックス収納部１２に装着されて、この電
池ボックス１１が固定機構１９によって所定の位置に保持された状態では、この電池ボッ
クス１１の前記カバー１４が本体２の外装の一部を構成するように、つまり電池ボックス
１１の一側面は本体２の外装面と面一となるように構成されている。
【００２１】
このように、電池ボックス１１は、その構成部材である電池支持体１５の上面１５Ａの
左右中央部分に２つ、下面１５Ｂには４つの乾電池収納部１７が設けられているので、つ
まり上下二段にして並置したために、平面的な嵩高さも従来に比べ遜色がなく、コンパク
トな電源ボックス１１である上に、乾電池収納部１７が電子機器内に一体に設けられたも
のに比べて使用期間の選択性が格段に改善され、大変使い勝手のよい電池ボックスである
。
【００２２】
次に個々の乾電池１８の相互接続手段を説明する。
図２（１）、（２）に示すように、前記電池支持体１５の前記カバー１４側の壁２４の
内面には、各乾電池収納部１７毎に対応させて接点ストリップ２５が設けられている。逆
に前記カバー１４とは反対の側の壁２６（電池ボックス１１を電池ボックス収納部１２に
収納する方向側）、つまり前記接点ストリップ２５の反対側には、乾電池１８の対応する
極が前記本体２の内壁２Ｂに固定された接点ストリップ２７（図７参照）に接触できるよ
うに開口２８を備えている。乾電池１８は各乾電池収納部１７内に挿入された状態で各接
点ストリップ２５、２７の構成により接続される。詳細は項述するが、その接続の対応は
、直列であっても並列であっても良い（図例では直列接続である）。言うまでもなく、こ
れら乾電池１８は、所定の電気的な配線によって、前記電動モータ７、スイッチ８、更に
はランプ１０に電気的に接続されている。したがって、相互接続手段は、この電池ボック
ス１１の接点ストリップ２５と本体２の接点ストリップ２７で構成されている。
【００２３】
図８は、電地ボックス１１を薬剤揮散容器１の本体２の電池ボックス収納部１２に挿入
する工程を示す。図例では、すべての乾電池収納部１７に乾電池１８が収納されていて、
９０日間の使用が可能である場合を示している。
先ず、図８（１）に示される状態から、電池ボックス１１を本体２の電池ボックス収納
部１２側に挿し込む。電池ボックス１１の挿入に伴って、各乾電池１７も前記本体２の内
壁２Ｂに固定された接点ストリップ２７に向かって移動する。更に押し込むことによって
、グリップ２０の係止爪２３が挿入口１３の開口辺縁に設けた係合片２１を乗り越え、つ
いには係合片２１に係止される〔図８（２）〕。これによって、不用意な外力によっても
簡単には電池ボックス１１が本体２から離脱するおそれがなくなる。併せて電池ボックス
１１内の各乾電池１８の本体２の内壁２Ｂ側の接点がこの本体２の内壁２Ｂ側の前記接点
ストリップ２７に押し当てられて、乾電池１８から本体２へと通電される。
【００２４】
電池ボックス１１を電池ボックス収納部１２から離脱させるには、まず前記摘み２２を
互いにカバー１４側に近づけるように押し込むことによって前記片２０Ａを撓ませ、係合
片２１に対する係止爪２３の係合を解除する。この状態を保ちながら摘み２２をそのまま
手前に引くことによって、電池ボックス１１を電池ボックス収納部１２から簡単に引き出
せる。
【００２５】
なお、上記各図では乾電池１８として円柱形状からなる一般的な乾電池、主に単３型、
１．５Ｖに適用する場合の構成を述べた。しかしこの構成では円柱形状の乾電池を複数本
集合させた形態としてのほぼ同形形状からなるいわゆるパック型の電源電池に適用出来な
いので、別の手段が必要となる。
つまり、図例では電池ボックス１１の各乾電池収納部１７は乾電池１８の一つ一つが独
立して収納できるように中間隔壁１６で区画されているが、パック型の電源電池を収納す
るに当たってはこの中間隔壁１６は収納の邪魔になり、好ましい収納が果たせない。そこ
で、望ましい収納を可能にするために、図示しないが、中間隔壁１６を取り除くことによ
ってうまく対応できる。この場合、電池支持体１５の下面１５Ｂに設けられて各乾電池収
納部１２の内、左右中央部の隔壁１６Ａは残しておく方が、このパック型乾電池の収納が
行い易くて良い。
【００２６】
次に図９は、上記実施例に示される構造の電気回路を示す。
電池ボックス１１内の乾電池１、２（図中、丸付き数字）の２本が直列接続され、乾電
池３、４、５、６（図中、丸付き数字）の４本が直列接続され、その直列接続の組が並列
に接続されている。電源ボックス１１内の乾電池１８は、隣り合うもの同士が交互に逆向
きに挿入されるように構成され、乾電池は４本と２本の二段に配置されることは先に述べ
た通りであるが、上段に２本の乾電池１、２が、下段に３、４、５、６の４本が配置され
る。２本使用の場合（例えば３０日間の使用期間）は上段２本１、２を、４本使用の場合
（例えば６０日間の使用期間）は下段４本３、４、５、６を、そして６本使用の場合（例
えば９０日間の使用期間）は上段２本、下段４本の全ての乾電池を挿入する。
【００２７】
また、図例では、本体２側の内壁２Ｂに固定された接点ストリップ２７が設けられ、こ
こに電池ボックス１１の各乾電池１８の極を夫々直に接触させるように構成してあるが、
必ずしもこの手法にとらわれる必要はない。例えば、図１０、１１の実施例２に示すよう
に、電池ボックス１１における電池ボックス収納部１２の前記壁２６の外面に正負一対の
外部取り出し接点２９を設けるとともに、本体２側の内壁２Ｂにも、正負一対の接点を設
けて、両者を接触する手法が採用されても良い。
【実施例２】
【００２８】
この外部取り出し接点２９を設ける具体的な構造は以下の通りである。
すなわち、図１０（１）、（２）に示すように、電池ボックス１１は、先の実施例１と
同様に、互いに嵌め込んで一体化してなるカバー１４と電池支持体１５とでできている。
電池支持体１５は合成樹脂製で、平らな中間隔壁１６で互いから分離されて並置された区
画、つまりは乾電池収納部１７を有する。この乾電池収納部１７は、図示するように、電
池支持体１５の上面１５Ａと下面１５Ｂとの両側に、収納される乾電池の長辺に沿う方向
、つまりは、この電池ボックス１１を電池ボックス収納部１２に収納する方向に沿って設
けられている。上面１５Ａはこの電池支持体１５の左右中央部分に２つ、下面１５Ｂは４
つが設けられている。この各乾電池収納部１７には、円形断面の細長い単３型で１．５ボ
ルトの乾電池１８が挿入できるように構成されている。なお、前記電池支持体１５は、上
面１５Ａと下面１５Ｂに直に乾電池収納部１７が形成されているが、互いに底を持つ上下
二つのパーツで形成し、それらの底を互いに重合させ、適宜の嵌合接続手段を用いて一体
に接続形成されるものであっても良い。若しくは一方に底を持つ上下二つのパーツで形成
し、これらの二つのパーツを前記一方のパーツの底を共通させるようにし、適宜の嵌合接
続手段を用いて一体に接続形成されるものであっても良い。この構成派、前記実施例１に
も適用できることは言うまでもない。
【００２９】
また、前記電池ボックス１１が本体２の電池ボックス収納部１２に装着されこの電池ボ
ックス１１が前記固定機構１９（図８参照）によって所定の位置に保持された状態では、
この電池ボックス１１の前記カバー１４が本体２の外装の一部を構成するように、つまり
電池ボックス１１の一側面は本体２の外装面と面一となるように構成されている。
【００３０】
更に、電池ボックス１１は、その構成部材である電池支持体１５の上面１５Ａの左右中
央部分に２つ、下面１５Ｂには４つの乾電池収納部１７が設けられているので、平面的な
嵩高さも従来に比べ遜色がなく、コンパクトな電源ボックス１１である上に、乾電池収納
部１７が電子機器内に一体に設けられたものに比べて使用期間の選択性が格段に改善され
、大変使い勝手のよい電池ボックスである。
【００３１】
次に個々の乾電池１８の相互接続手段を説明する。
前記電池支持体１５の前記カバー１４側の壁２４の内面には、各乾電池収納部１７毎に
対応させて接点ストリップ２５（図例では負極）が設けられている。逆に前記カバー１４
とは反対の側（電池ボックス１１を電池ボックス収納部１２に収納する方向側）、つまり
前記接点ストリップ２５の反対側の壁２６の内面には、乾電池１８の対応する極を接触す
るために、接点ストリップ２５（図例では正極）が設けられている。本例の場合、先の実
施例１の図１〜３、図７、８に示されるものと違って、この前記カバー１４とは反対の側
の壁２６には開口２８が無く、電池ボックス収納部１２の各乾電池収納部１７の前記カバ
ー１４の反対の側は閉止されている。
【００３２】
そして、前記の通り、電池ボックス１１における電池ボックス収納部１２の前記壁２６
の外面に正負一対の外部取り出し接点２９が設け〔図１０（３）、１１参照〕られるとと
もに、本体２側の内壁２Ｂでこの外部取り出し接点２９に対応する部位に、正負一対の接
点（図１１参照）を設けて、両者を接触させる手法が採用される。電池１８は各乾電池収
納部１７内に挿入された状態で各接点ストリップ２５の構成により接続される。詳細は次
の項に譲る。言うまでもなく、これら乾電池１８は、所定の電気的な配線によって、前記
電動モータ７、スイッチ８、更にはランプ１０に電気的に接続されている。したがって、
相互接続手段は、この電池ボックス１１の接点ストリップ２５並びに外部取り出し接点２
９、そして本体２の接点（図１１参照）で構成されている。
【００３３】
電池ボックス１１を薬剤揮散容器１の本体２の電池ボックス収納部１２に挿入するには
、先の実施例１と同様の手順でおこなう。
【００３４】
図１１に、この図１０に示される変形例に採用される構造の電気回路を示す。
乾電池１、２、３（図中、丸付き数字）の３本が並列接続、同様に乾電池４、５、６（
図中、丸付き数字）の３本が並列接続され、その並列接続の組が直列に接続されている。
電池ボックス１１内の乾電池１８は全て、同じ方向に挿入されるように構成され、乾電池
は４本と２本の二段に配置されることは先に述べた通りであるが、上段に２本の乾電池１
、４が、下段に４本の乾電池２、３、５、６が配置される。２本使用の場合（例えば３０
日間の使用期間）は上段２本の乾電池１、４を、４本使用の場合（例えば６０日間の使用
期間）は下段４本の乾電池２、３、５、６を、そして６本使用の場合（例えば９０日間の
使用期間）は上段２本、下段４本の全ての乾電池１〜６を挿入する。フューズ（ＦＵＳＥ
）は、回路的には電池接続の中間に接続されていて、機器側で乾電池１８が短絡された場
合は必ずフューズに過電流が流れる構成となっている。
【図面の簡単な説明】
【００３５】
【図１】本発明に係る電池ボックスを示し、（１）は正面斜め上から見た全体斜視図、（２）は上下反転させて斜め上から見た全体底面図である。
【図２】本発明に係る電池ボックスに乾電池を収納した状態を示し、（１）は全体平面図、（２）は全体底面図である。
【図３】本発明に係る電池ボックスに乾電池を収納した状態を示し、（１）は正面斜め上から見た全体斜視図、（２）は上下反転させて斜め上から見た全体底面図である。
【図４】本発明に係る電子機器の正面側から見た全体斜視図である。
【図５】図４に示される電子機器の背面図である。
【図６】フードを開放した状態の図１に対応する全体斜視図である。
【図７】電子機器の背部から前面側を望んだ説明縦断面図である。
【図８】作用の説明図で、（１）は電源ボックスを電源ボックス収納部に収納する前の状態を示す説明斜視図、（２）は一部を電源ボックス収納部に収納した状態を示す説明斜視図である。
【図９】図１の電池ボックスに乾電池を装着した後、これを電子機器に装着した場合における電気回路の説明図である。
【図１０】本発明に係る電池ボックスの変形例を示し、（１）は全体平面図、（２）は全体底面図、（３）は背面図である。
【図１１】図９に示される変形例に採用される電気回路の説明図である。
【符号の説明】
【００３６】
１…薬剤揮散容器
２…本体
１１…電池ボックス
１２…電池ボックス収納部
１３…挿入口
１４…カバー
１５…電池支持体
１７…乾電池収納部
１８…乾電池
１９…固定機構
２５…接点ストリップ
２７…接点ストリップ
２８…開口
２９…外部取り出し接点
【図１】
2008181722.tif 000003
【図２】
2008181722.tif 000004
【図３】
2008181722.tif 000005
【図４】
2008181722.tif 000006
【図５】
2008181722.tif 000007
【図６】
2008181722.tif 000008
【図７】
2008181722.tif 000009
【図８】
2008181722.tif 000010
【図９】
2008181722.tif 000011
【図１０】
2008181722.tif 000012
【図１１】
2008181722.tif 000013